(57)【要約】【課題】人体の可動部の機能を診断およびリハビリする目的などで、舌圧、舌下筋圧、口唇圧、頬圧力、握力、肛門圧力などの人体関連圧力の測定を行う。【解決手段】着脱可能な中空体とこの内部と連通して圧力を検出する圧力検出手段と、中空体内部の圧力を調整する圧力調整手段と、所定の時間毎に圧力検出手段の検出値を所定の演算後出力する演算制御処理手段と、圧力値を表示する表示手段と、各種データ・パラメーターなどを記憶するための記憶手段と、演算制御処理手段に操作信号を出力する操作手段とを備え、演算制御処理手段は操作手段の所定の操作により中空体内部の圧力が記憶手段に記憶された所定の圧力または大気圧になるように圧力調整手段を自動で制御し、圧力調整手段により調整された後の中空体内部の圧力を基準値として記憶手段に記憶し、時系列に検出される圧力値から基準値を減算した実測圧力値を表示手段に表示する。【選択図】        図１
2005013679.tif 000002
【特許請求の範囲】
【請求項１】
弾性材料または可撓性材料から形成された着脱可能な中空体と前記中空体の内部と連通して前記中空体内部の圧力を検出する圧力検出手段と、前記中空体内部の圧力を調整する圧力調整手段と、所定の時間毎に前記圧力検出手段の検出値を所定の演算後出力する演算制御処理手段と、前記圧力値を表示する表示手段と、各種データ・パラメータなどを記憶するための記憶手段と、前記演算制御処理手段に操作信号を出力する操作手段とを備え、前記演算制御処理手段は前記操作手段の所定の操作により前記中空体内部の圧力が大気圧又は／且つ前記記憶手段に記憶された所定の圧力調整値またはその近傍になるように前記圧力調整手段を自動で制御し、前記圧力調整手段により調整された後の前記中空体内部の圧力を基準値として前記記憶手段に記憶し、時系列に検出される圧力値から前記基準値を減算した実測圧力値を前記表示手段に表示することを特徴とする人体関連圧力測定装置。
【請求項２】
複数種の前記中空体に関連付けられた圧力調整値が前記記憶手段に記憶されており、前記操作手段の所定の操作により、選定された中空体に関連付けられた圧力調整値になるように前記圧力調整手段を自動で制御することを特徴とする請求項１記載の人体関連圧力測定装置。
【請求項３】
前記実測圧力値を、前記表示手段に時系列に波形またはバーグラフとして表示するとともに前記記憶手段に波形データとして記憶し、また前記記憶手段に記憶された波形データを読み出し前記表示手段に表示する手段を有した演算制御処理手段であることを特徴とする請求項１及び２に記載の人体関連圧力測定装置。
【請求項４】
前記波形データの所定の範囲、または前記操作手段の所定の操作により選択された任意の範囲、または所定の演算により求まる範囲における前記波形データに重畳する特徴のある波動成分のピークやボトムの位置を強調表示及び、前記ピークやボトムの数を計数表示する演算制御処理手段であることを特徴とする請求項３に記載の人体関連圧力測定装置。
【請求項５】
前記人体関連圧力測定装置は時間間隔を計時する時間間隔計時手段を備え、前記演算制御処理手段は時系列に検出される圧力値が所定の演算により求まる１つ以上の境界圧力値または前記記憶装置に予め記憶された１つ以上の境界圧力値を越えるか越えないかを判定し、この判定結果に基づいて、前記時間間隔計時手段の計時を自動で開始及び停止し、前記計時開始から停止までの時間間隔を算出表示する圧力保持時間算出手段を有することを特徴とする請求項１〜４に記載の人体関連圧力測定装置。
【請求項６】
前記演算制御処理手段は前記操作手段の所定の操作により上限圧力値及び下限圧力値を算出し、且つ前記記憶手段に記憶させると共に、時系列に検出される圧力値が前記下限圧力値から前記上限圧力値へ変位、または前記上限圧力値から前記下限圧力値へ変位したときの反復回数を計数する反復回数計数手段を有し、または／且つ前記表示手段に前記反復回数計数値を表示させると共に、上述の時系列に検出される圧力値の変位または反復回数の計数値に関連付けて、前記人体関連圧力測定装置に内蔵または外部に接続された音・光・振動・映像等の人間の五感に作用する装置を駆動制御することを特徴とする請求項１〜５に記載の人体関連圧力測定装置。
【請求項７】
前記演算制御処理手段は時系列に検出される圧力値または前記波形データの最大値、最小値、前記波形データの圧力変化率を算出表示することを特徴とする請求項１〜６に記載の人体関連圧力測定装置。
【請求項８】
前記演算制御処理手段は前記操作手段の所定の操作により入力された被験者情報（年齢、性別、名前など）を前記表示手段に表示し、且つ前記被験者情報を前記波形データと関連付けて前記記憶装置に記憶及び、前記表示手段に読み出し表示する手段を有すると共に、前記波形データの演算処理により求まる最大値、最小値、前記波形データの圧力変化率、前記圧力保持時間、前記波動成分のピークやボトム点の数、及び前記反復回数計数値等の演算値を、前記記憶装置に記憶された階層別の標準値または、個々の被験者と関連付けされて前記記憶手段に記憶された値と比較判定し、判定結果を前記表示手段に表示することを特徴とする請求項１〜７に記載の人体関連圧力測定装置。
【請求項９】
前記請求項１〜８に記載の特徴を有する、口腔関連機能を測定するための人体関連圧力測定装置。
【発明の詳細な説明】
【０００１】
【発明が属する技術分野】
本発明は人体に関する、舌、舌下筋肉、唇、頬、手、足、肛門などの可動部の機能を診断及びリハビリテーションの目的などで、舌圧、舌下筋圧、口唇圧、頬圧力、握力、肛門筋圧などの人体関連圧力の測定を行うために、弾性材料または可撓性材料から形成された中空体をプローブとして使用する装置に関する。
【０００２】
【従来の技術】
高齢者や障害者のＱＯＬ（Ｑｕａｌｉｔｙ  ｏｆ  Ｌｉｆｅ）向上のために、摂食・嚥下機能や、握力などの人体の可動部に関する診断及び維持・回復が求められている。口腔関連機能に関して述べると、摂食・嚥下には舌の動きが深く関与しており、食塊の形成及び咽頭への送り込みには舌圧が必要となるため、舌圧の測定とその解析が重要な意味を持つが、舌圧の測定はほとんど行われていなかった。また、その他にも種々の目的で人体関連圧力を測定することが必要になることが考えられるが、従来はそのような手段はあまり知られていないのが実情である。
【０００３】
口腔関連圧力測定の方法として舌圧の測定装置の例があり、これは測定前に予め絞り球により手動にて空気を送り込んで加圧されたバルーンをプローブとして用い、口腔にバルーン挿入して舌で押圧し、バルーンと連通した圧力センサーにおいて、空気圧を検出して電気信号に変換することにより舌圧を検出し、検出された舌圧を多目的コンピュータへ伝送し、舌圧の最大値を前記多目的コンピュータ上で動くプログラムにて判定するように構成されている（特許文献１参照。）。
【０００４】
また、疲労度を判定する目的で、口腔にバルーンを挿入して舌で押圧し、所定の圧力に達してから、何分間その圧力を保持したかを計時するために、操作者は舌圧をモニターする数値や発光ダイオードによるレベルインジケーターを目視し、前記所定の圧力に達したことを操作者が確認してから測定装置に付属したタイマーを手動でスタートし、前記モニターする数値が前記所定の圧力値を下回ったときに、操作者は前記タイマースイッチを手動でストップして、圧力保持時間を測定するものもある（非特許文献１参照）。
【０００５】
また、圧力導入型ひずみゲージ式圧力変換器を用いて中空体内部の空気圧を電気信号に変換するように構成し、血圧測定などの目的で医療用に使用される圧力検知器をそのまま使用したり、圧力検知部で検出されるバルーン内部の圧力を、モニターに表示したり、デジタルオシロレコーダにより連続的に記録する機能を備えるようにしたものもある（特許文献２参照。）。
【０００６】
【特許文献１】
米国特許第５６０９１６１号明細書
【特許文献２】
特開２００１−２７５９９４号公報（図１、図２）
【非特許文献１】
ＩＯＰＩ  Ｎｏｒｔｈｗｅｓｔ社、［ｏｎｌｉｎｅ］、
【平成１５年５月検索】、インターネット＜ＵＲＬ：ｈｔｔｐ：／／ｗｗｗ．ｉｏｐｉ．ｉｎｆｏ／＞
【０００７】
【発明が解決しようとする課題】
バルーンを用いた舌圧の測定では、測定の再現性を得るためにバルーンを所定の圧力に加圧調整する必要があるが、特許文献１明細書に開示された方法では、異なる被験者間でバルーンを交換する毎に、絞り球により手動でバルーンを加圧する必要があり、この作業が煩雑であり、また加圧の正確性と測定に至るまでの作業効率性に劣るという問題がある。また、バルーンの形状や材質を変更し他の人体部位への応用を計るには、そのバルーンに合った適正な圧力に、いちいち圧力設定値が書き込まれた資料などを見ながら前記絞り球により加圧調整しなければならないという煩わしい問題もある。
【０００８】
また、圧力測定を行う上で、時々刻々と変化する大気圧の変動は誤差となるため、従来では測定前に測定装置にプローブが接続されていればこれを外すか、または大気圧開放弁を手動で開放し、圧力検出部に大気圧以外の圧力が加わっていないことを確認した上で、ゲージ圧調整用のトリマーを専用工具で調整し大気圧におけるゲージ圧をゼロに補正した後に、絞り球でバルーンを加圧する作業が必要であり、このように測定の準備段階が煩雑で、また前述した手順を忘れて前記圧力検出部に大気圧以外の圧力が加わった状態でゼロ点調整をしてしまうなどのケアレスミスも誘発するという問題もあった。
【０００９】
また従来装置においては、測定された圧力表示はバルーンを加圧した圧力と人体にて押圧した圧力を合計した圧力が表示され、人体により押圧した圧力のみを求めるためには、押圧した圧力から押圧しないときの圧力をわざわざ計算機等を用いて減算しなければならないなどの煩わしさがあった。
【００１０】
また、中空体内部を自動加圧及び圧力を測定するために従来の血圧測定などの目的で医療用に使用される電子血圧計を使用することも考えられるが、バルーンの形状や材質の変更に対応できないこと、ゲージ圧を自動校正できないこと、測定前にバルーンを自動加圧しても正確に所定の圧力に加圧できないか、または正確に所定の圧力に加圧する機構を付加すれば非常に高価な制御系が必要になってしまうなどの問題があった。
【００１１】
また、摂食・嚥下時の嚥下舌圧の変動による舌圧波形の変化は図１７（Ｉ）に示すようなピークが一つの単峰型、（ＩＩ）に示すようなピークが２つの２峰型、その他として（ＩＩＩ）に示すようなピークが３つ以上の型に大きく分類される。このとき、図１８に示すように加齢による舌圧の低下に伴いピーク数が増加する傾向があることが判っており、口腔関連障害・嚥下反射や嚥下の特徴を解析・診断する上で舌圧波形のピーク数またはボトム数を求めることは重要な指標となるが、従来はこのような舌圧波形のピーク数またはボトム数を求める機能を有した装置は無かった。
【００１２】
また、口腔関連機能を診断する目的で、口腔に弾性材料または可撓性材料から形成された中空体を挿入して舌で押圧し、被験者の年齢に応じた指標となる圧力に達してから、何分間その圧力を保持したかを計時するために、操作者は舌圧をモニターする数値やレベルインジケーターを目視し、前記指標となる圧力を上回ったことを操作者が確認してから測定装置に付属したタイマーを手動でスタートし、前記モニターする圧力値が前記指標となる圧力値を下回ったときに、操作者は前記タイマースイッチを手動でストップして、圧力保持時間を計時するものがあるが、手動での操作の煩わしさと測定の不正確さが欠点としてある。
【００１３】
またリハビリテーションの一環として、弾性材料または可撓性材料から形成された着脱可能な中空体を口にくわえ、または手に持ち、舌または手を動かして押圧と非押圧を繰り返し行う訓練もあるが、訓練の指標や動機付けになるものが無かった。
【００１４】
また、口腔関連機能を診断する目的で、口腔に弾性材料または可撓性材料から形成された中空体を挿入して被験者の吸引力を診断するために、被験者の前記中空体の吸引に伴う前記中空体の膨張による前記中空体内部圧力の低下による最小値を測定表示する機能を持ったものが無かった。
【００１５】
また、前記中空体を押圧または吸引したときの前記中空体内部の圧力変化率も口腔関連機能を診断する上で重要な指標となるが、前記圧力変化率を測定診断するものが無かった。
【００１６】
また従来装置においては、年齢、性別、名前等といった被験者情報から年齢、性別等から階層化された標準値や個々の被験者に毎に設定されたデータから測定結果を自動で解析・診断するものが無かった。
【００１７】
【課題を解決するための手段】
本発明は、弾性材料または可撓性材料から形成された着脱可能な中空体と前記中空体の内部と連通して前記中空体内部の圧力を検出する圧力検出手段と、前記中空体内部の圧力を調整する圧力調整手段と、所定の時間毎に前記圧力検出手段の検出値を所定の演算後出力する演算制御処理手段と、前記圧力値を表示する表示手段と、各種データ・パラメータなどを記憶するための記憶手段と、前記演算制御処理手段に操作信号を出力する操作手段とを備えた、人体での押圧による圧力変化値を表示することが可能な人体関連圧力測定装置について、以下のような特徴をもつものである。
【００１８】
大気圧の変動による測定誤差を除去するため測定前の人体関連測定装置のゲージ圧補正を自動で行い、測定に至るまでの準備時間を短縮し効率化を計るために、前記演算制御処理手段は前記操作手段の所定の操作に基づいて圧力調整手段を制御し、前記圧力検出手段の検出部の圧力が大気圧となるように調整し、前記圧力調整手段の検出値が安定化した時点での圧力値を大気圧と自動認識し、このときの圧力を大気圧補正値として前記記憶手段に記憶し、前記中空体を加圧後の時系列に検出される圧力値と前記大気圧補正値を前記演算制御処理手段により減算して正確なゲージ圧を求め表示することを特徴としている。
【００１９】
また、異なる被験者間での前記中空体からなるプローブの交換や、人体の測定部位の違いによる形状や材質の異なる中空体への交換における測定前の前記中空体内部の加圧において、測定の再現性を高め安価な圧力調整手段を用いて人体のみによる押圧した圧力を求めるために、前記演算制御処理手段は前記操作手段の所定の操作に基づいて前記記憶手段に記憶された中空体内部の圧力調整値、または前記操作手段により選択された中空体に関連付けられて前記記憶手段に記憶された前記中空体内部の圧力調整値をもとに、前記中空体内部の圧力が前記圧力調整値またはその近傍になるように前記圧力調整手段を制御し、調整後の中空体内部の圧力値をオフセット値として前記記憶手段に記憶させ、時系列に検出される圧力値と前記オフセット値を前記演算制御処理手段により減算することにより、圧力調整手段による調整誤差が生じても前記中空体内部の調整後の圧力値をゼロとする実測圧力値を測定表示できることを特徴としている。
【００２０】
嚥下反射や嚥下の特徴や口腔関連障害を診断する上で重要な指標となる摂食・嚥下時の前記波形データに重畳する所定以上の振幅を持つ波動成分のピークまたはボトム点の数を計数及び確認するために前記演算制御処理手段は、前記波形データの所定の範囲、または前記操作手段の所定の操作により選択された任意の範囲、または所定の演算により求まる範囲における前記波形データに重畳する特徴のある波動成分のピークまたはボトムの数を計数するピークまたはボトム数計数手段を有し、前記表示手段に前記ピークまたはボトム点の数を表示するとともに前記表示された波形のピークまたはボトムの位置を強調表示することを特徴としている。
【００２１】
口腔関連機能を診断する上で重要な被験者の年齢や性別などに応じた指標となる舌圧の保持時間の計時を正確かつ自動で行うため、前記人体関連圧力測定装置は時間間隔を計時する時間間隔計時手段を備え、時系列に検出される圧力値が所定の演算により求まる境界圧力値または前記記憶装置に予め記憶された境界圧力値以上あるいは境界圧力値以下に達した後に、前記時間間隔計時手段の計時を開始し、時系列に検出される圧力値が前記境界圧力値未満あるいは前記境界圧力値よりも大きくなった時点で、前記時間間隔計時手段が計時を停止し、前記計時開始から停止までの時間間隔を算出する圧力保持時間算出手段を有することを特徴としている。
【００２２】
前記加圧された中空体を被験者は人体の可動部となる口にくわえたり、または手に持ったりして、舌または手を動かす等して押圧と非押圧を繰り返し行うリハビリテーションにおいて、リハビリテーションの指標や動機付けを行うため、前記演算制御処理手段は前記操作手段の所定の操作により上限圧力値及び下限圧力値を算出し、且つ前記記憶手段に記憶させると共に、時系列に検出される圧力値が前記下限圧力値から前記上限圧力値へ変位、または前記上限圧力値から前記下限圧力値へ変位したときの反復回数を計数する反復回数計数手段を有し、なお且つ前記演算制御処理手段は前記表示手段に前記反復回数計数値を表示させると共に、上述の時系列に検出される圧力値の変位または反復回数の計数値に関連付けて、前記人体関連圧力測定装置に内蔵または外部に接続された音・光・振動・映像等の人間の五感に作用する装置を駆動制御し、被験者にリハビリテーションの進行状態などを分かりやすく示すことを特徴としている。
【００２３】
被験者情報から前述した測定結果を自動で解析・診断するために、前記演算制御処理手段は前記操作手段の所定の操作により入力された被験者情報（年齢、性別、名前など）を前記表示手段に表示し、前記波形データから算出した最大値、最小値、前記ピークまたはボトム点の数、前記圧力保持時間、前記反復回数計数値等の演算値を、前記記憶装置に記憶された年齢別等の階層別の標準値または、個々の被験者に関連付けされて前記記憶装置に記憶された値と比較判定し、判定結果を前記表示手段に表示することを特徴としている。
【００２４】
【発明の実施の形態】
本発明の一実施例について図面を参照して説明する。図１は本発明に係る人体関連圧力測定装置を口腔関連機能を測定するために応用した一実施例を示す概略図であり、図２は同実施例の人体関連圧力測定器５を説明する概略図である。人体関連圧力測定装置は、被験者１の口腔内に挿入された弾性材料または可撓性材料から成る着脱可能な中空体のバルーン２を含むプローブ３と、このプローブ３と可撓性のチューブ４で連通された人体関連圧力測定器５からなるものであり、図１に示すように人体関連圧力測定器５と通信ケーブル６にてオーディオビジュアル機器７やディスプレイ、スピーカ、バイブレーター、パーソナルコンピュータ等を接続または内蔵して使用することもできる。
【００２５】
人体関連圧力測定装器５は、各種演算制御処理を行うマイクロコンピュータ２０からなる演算制御処理手段と、バルーン２の変形による空気圧の変動を検出する圧力検出手段３０と、発信器５１の出力を分周し、中央演算処理装置２１に所定の時間毎に割り込み信号を発したり、時間間隔を計時したりするための複数のカウンター５２からなる計時手段と、マイクロコンピュータ２０に操作信号を与える複数の操作スイッチからなる操作手段６０と、圧力値や波形等のデータを表示するＬＣＤ（液晶表示装置）等からなる表示手段７０と、バルーン２内の空気圧を調整するためのエアーポンプ１１及び電磁弁１２及びそれらを駆動するためのドライバー１３、１４からなる圧力調整手段１０と、中央演算処理装置２１の制御プログラムが記憶されたＲＯＭ２２、演算データ等を一時記憶するためのＲＡＭ２３、各種制御のためのデータ及びパラメータが記憶されたＥＥＰＲＯＭ２４と被験者情報や波形データを格納するためのＥＥＰＲＯＭ２６からなる記憶手段と、マイクロコンピュータ２０に接続された装置の制御及びデータの受け渡しをするための入出力装置２９と、パーソナルコンピュータまたはオーディオビジュアル機器７等との双方向通信を行うための通信装置８０を備えている。
【００２６】
前記圧力検出手段３０は、バルーン２の変形による空気圧の変動を可撓性のチューブ４及び人体関連圧力測定器５内部のチューブ４２で連通された圧力センサー３３により感知し、圧力センサー３３からの電気信号を増幅器３２によって増幅すると共に、増幅された信号をアナログ／ディジタルコンバーター３１（以下Ａ／Ｄコンバーターと呼ぶ）によってディジタル信号へ変換させて、マイクロコンピュータ２０の入出力装置２９に送信する。
【００２７】
圧力センサー３３、エアーポンプ３４、電磁弁３５は、可撓性のチューブ４２〜４４により連通されている。また電磁弁３５には大気圧開放された可撓性のチューブ４５が接続されており、マイクロコンピュータ２０はドライバー３７を制御することにより電磁弁３５を操作し、前記可撓性のチューブ４４、４５を連通させて、前記可撓性のチューブ４を通して接続された前記バルーン２に至るまでの圧力を大気圧にしたり、チューブ４５からの空気の流れを遮断して、電磁弁３５から前記バルーン２に至る連通された空間を気密に保つことができる。
【００２８】
人体関連圧力測定器５の具体的な動作を図３〜図１６を用いて以下に説明する。図３は表示手段７０に表示される測定画面の１例を示したもの、図６は人体関連圧力測定装置の主動作を説明する処理フローチャート、図７はスイッチ操作による分岐について説明する処理フローチャートであり、電源投入とともに中央演算処理装置２１はＲＯＭ２２の制御プログラムを読み込んで実行を開始する（ステップＳ１００）。タイマー割り込み等を禁止し（ステップＳ１０１）、演算等に用いる各種パラメータを初期化する（ステップＳ１０２）。次にＥＥＰＲＯＭ２４に記憶されたデータを読み込み各種パラメータへのデータをセットする（ステップＳ１０３）。図３に示すような測定画面を表示手段７０に表示した後（ステップＳ１０４）、タイマー割り込みを有効にし（ステップＳ１０５）、割り込み処理があるまで操作手段６０となるスイッチの入力を監視する（ステップＳ２００〜Ｓ２１６）。
【００２９】
各種パラメータの初期化（ステップＳ１０２）において、割り込み処理１のみが有効で割り込みのタイミングは２０ｍＳになるように複数のカウンター５２の一つを設定している。割り込み処理１の処理過程を次に説明する。割り込み用のカウンター５２が２０ｍＳを計時すると割り込み処理が発生する（ステップＳ１０７）。割り込みカウンターを再び２０ｍＳにセットし（ステップＳ１０８）、Ａ／Ｄコンバーター３１からのデータをサンプリングし圧力単位ｋＰａ（キロパスカル）の圧力値に変換しＲＡＭ２３に設定されたパラメータＱへ代入記憶する（ステップＳ１０９）。
【００３０】
次に、前記圧力値Ｑから後述するゲージ圧補正値Ｇ及びオフセット値Ｆを減算した実測圧力値をＲＡＭ２３にＤｍａｘの数だけ設定されたパラメータＰ（ｉ）（ｉは０〜Ｄｍａｘの整数値）に割り込み処理１が発生するごとに順次記憶し（ステップＳ１１０）、表示手段７０の測定画面上の波形表示部Ｗへ時間軸ｉの位置における前データ表示を消去し、座標［ｉ，Ｐ（ｉ）］へ最新のデーターをプロット表示する（ステップＳ１１１）。
【００３１】
次に、Ｐ（ｉ）のｉ＝０〜Ｄｍａｘの間における最大値、及び最小値を比較演算により求め（ステップＳ１１２）、前記表示手段７０に最大値Ｌ１０、最小値Ｌ１１として表示する。ここで、最大値及び最小値は最初の割り込み処理の時点での圧力値を初期値として最大値となるパラメータＭＡＸ及び最小値となるパラメータＭＩＮに記憶し、割り込み処理１によってデーターサンプリングを行う毎に前記パラメータＭＡＸ及びＭＩＮと逐次比較することにより、ＭＡＸよりも大きければ最大値としてＭＡＸを最新の最大値データとし、ＭＩＮよりも小さければ最小値としてＭＩＮを最新の最小値データーとして更新記憶及び表示しても良い。
【００３２】
次に、波形表示部Ｗの波形データ上に表示されたカーソルＣＳ１、ＣＳ２は図７のスイッチ操作のフローチャート上においてカーソルスイッチの操作（ステップＳ２０４、Ｓ２１２）により時間軸方向に移動可能であり、時間軸ＣＳ１及びＣＳ２の位置における圧力値Ｐｓ１、Ｐｓ２を測定画面（Ｌ７、Ｌ８）に表示し、及びＣＳ１、ＣＳ２が位置するサンプリング時間Ｔｓ１、Ｔｓ２より単位時間当たりの圧力変化率（Ｐｓ２−Ｐｓ１）／（Ｔｓ２−Ｔｓ１）を算出し測定画面（Ｌ９）に表示する（ステップＳ１１３）。
【００３３】
ここで単位時間当たりの圧力変化率は測定画面に表示されたカーソル位置における波形データを基に算出する方式を述べたが、マイクロコンピュータ２０が波形データの記憶領域Ｐ（０）〜Ｐ（Ｄｍａｘ）までの範囲における予め設定されていた条件により、その条件に基づく圧力変化率を自動で算出表示しても良い。
【００３４】
次に、ゲージ圧（＝Ｑ−Ｇ）、オフセット補正値（＝Ｑ−Ｇ−Ｆ）及びオフセット値（＝Ｆ）を測定画面（Ｌ４〜Ｌ６）にそれぞれ表示する（ステップＳ１１４）。
【００３５】
次に、ステップＳ１１８以降について説明する（ステップＳ１１５〜Ｓ１１７は後述する）。  波形表示の時間軸方向の最大表示数はＤｍａｘであり、ｉがＤｍａｘ以上になったかどうかを判定する（ステップＳ１１８）。ｉがＤｍａｘよりも大きくなり表示範囲を超えないよう、再び時間軸ゼロの点から波形をプロット表示するためにｉ＝０（ステップＳ１２０）とする。ｉがＤｍａｘよりも小さければｉをインクリメントし（ステップＳ１１９）、時間軸プロット位置を進める。
【００３６】
次に、被験者情報やプローブ選定・入力や、これらに関連付けされて記憶された標準値や各種パラメータ等の入力及び読み出しについて説明する。図７はスイッチ操作による分岐について説明する処理フローチャートであり、設定スイッチを押したかどうかを判定し（ステップＳ２００）、設定スイッチが押されていれば割り込みを禁止して（ステップＳ２０６）、図４に示すような設定画面が表示手段７０に表示され、複数のスイッチ操作により被験者情報や各種演算処理に伴う条件設定や各種パラメータの入力・選択及びＥＥＰＲＯＭ２４、２６への読み出し及び書き込み記憶が可能となる（ステップＳ２０７）。
【００３７】
図４の設定画面には、プローブの種類を選択表示するＬ２０、選択されたプローブに関連付けられてＥＥＰＲＯＭ２４に記憶された圧力調整値を表示するＬ２１、被験者名または被験者ナンバーとして入力表示されたＬ２２、被験者の年齢として入力表示されたＬ２３、被験者の性別として選択表示されたＬ２４、前記単位時間当たりの圧力変化率を自動で演算して求めるか、前記カーソル間での圧力変化率を求めるかを選択表示するためのＬ２６、後述するピーク点の計数を波形表示された全範囲で自動で行うか、前記カーソル間で行うかを選択表示するためのＬ２７、前記被験者の年齢（Ｌ２３）に基づく年齢層及び性別（Ｌ２４）に関連付けられてＥＥＰＲＯＭ２４に階層記憶された被験者の口腔関連機能を診断する上での基準となる標準値の一覧より前記バルーン２を舌で押圧したときの最大舌圧の標準的な値となる押圧舌圧、及び前記バルーン２を舌を使って吸引したときの標準的な値となる吸引舌圧を読み出し表示されたＬ２８及びＬ２９、後述する圧力保持時間を計時・表示及び診断するために、押圧か吸引を選択表示するためのＬ３０、前記被験者の年齢（Ｌ２３）に基づく年齢層及び性別（Ｌ２４）及び前記選定された押圧または吸引に関連付けられてＥＥＰＲＯＭ２４に階層記憶された標準値の一覧から圧力保持時間（Ｌ３１）、境界圧力値（Ｌ３２）及び、リハビリテーションを行うための反復回数（Ｌ３３）が読み出し表示される。
【００３８】
図５は上述のＥＥＰＲＯＭ２４に階層記憶された舌圧標準値の一覧の一部を示すもので、この表を用いて具体的に説明すると、年齢４５（Ｌ２３）、性別は男（Ｌ２４）が入力されると、マイクロコンピュータ２０はＥＥＰＲＯＭ２４に階層記憶された図５から４０代のＣＭの行にあるデータを参照し、前記表示手段７０へ前述した方法に基づいて図４の設定画面を表示する。
【００３９】
前記標準値は被験者個々に合わせた設定値としてＥＥＰＲＯＭ２６に記憶可能であり、標準値を用いるか個々の被験者に合わせた設定値を表示及び各種演算に使用するかは前記操作手段６０となる複数のスイッチの一つを操作することで選択可能であり、どちらを選択しているかは設定画面Ｌ３４に選択表示される。
【００４０】
ここでは示さないが終了スイッチを押すことによって、図３の測定画面が再び表示され（ステップＳ２０８）、割り込み処理を許可し（ステップＳ２０９）スイッチ操作による処理フローチャートを終了する。
【００４１】
次に、前記摂食・嚥下時の嚥下舌圧の変動による舌圧波形の変化の一例としてサンプリングされた波形データが図１１であった場合、表示された波形データのピーク位置及びピーク数を自動検出する方法を図７及び図１０〜１２を参照して説明する。図７のスイッチ操作のフローチャートにおいて、ピーク検出スイッチを押したかどうかを判定し（ステップＳ２０１）、ピーク検出スイッチが押されていれば、タイマー割り込みを禁止し（図１１、ステップＳ４００）、ピークを検出する各種パラメータを初期化する（ステップＳ４０１）。次に波形データが記憶された前記Ｐ（ｉ）からピークの時間的位置を自動検出する方法について図１１を参照して説明する。ここで図１１に示すｔ０〜ｔ６は前記Ｐ（ｉ）の時間的位置を示すｉの値であるとする。
【００４３】
まず、マイクロコンピュータ２０は摂食・嚥下時の舌圧の変動による前記バルーン２の内部圧力の変動開始点ｔ０及び変動終了点ｔ６を求め（ステップＳ４０２）、ｔ０〜ｔ６におけるピーク点ｔ１、ｔ３、ｔ５及びボトム点ｔ２、ｔ４を検出記憶する（ステップＳ４０３）。次にｔ１〜ｔ５のそれぞれの圧力値Ｐ（ｔ１）〜Ｐ（ｔ５）の隣接するピークとボトムの圧力差の絶対値（｜Ｐ（ｔ１）−Ｐ（ｔ２）｜、｜Ｐ（ｔ３）−Ｐ（ｔ２）｜、…、｜Ｐ（ｔ５）−Ｐ（ｔ４）｜）の平均値Ｈｔを求め（ステップＳ４０４）、ｔ１〜ｔ５の隣接するピークとボトムの圧力差がＨｔの１／２以上であれば、その点に主要なピークがあると判定し、その判定されたピークの位置（ｔ３及びｔ５）を図１２に示すように波形表示画面にマーカーＭ１、Ｍ２として強調表示し（ステップＳ４０５）、表示手段７０の測定画面上にピーク数の合計を算出表示する（ステップＳ４０６、図３のＬ１４）。
【００４４】
ピークを求める方法は上述した方法に限られる訳ではなく、例えば周波数解析を行い、特定の振幅を持つ周波数成分を抽出し、この振幅の半値をＨｔとして記憶し前記同様にピークを求める方法もある。また、ノイズ成分や不要な波動成分がピークとして検出されないように、予め移動平均を行いノイズ成分や不要な波動成分の除去を行ったり、所定の周波数以下の成分を抽出して、これからピークを求める方法もある。また、ピーク点ではなくボトム点の位置を強調表示及びボトム点の数を表示しても良い。
【００４５】
次にピーク検出ＳＷを再び押したかどうかを判定し（ステップＳ４０７）、ピーク検出スイッチを押していれば再び割り込み処理を許可し（ステップＳ４０８）、ピーク検出の処理フローチャートを終了する。
【００４６】
次に、圧力保持時間を自動計時し表示する方法について図７、８、１３、１４を参照して説明する。まず、図７のスイッチ操作の処理フローチャートにおいて圧力保持時間測定スイッチを押したかどうかを判定し（ステップＳ２０２）、圧力保持時間測定スイッチを押していれば，、図８に示す圧力保持時間の計時及び表示を行う処理フローチャートへ分岐するためのパラメータＳ＿ｆｌａｇを１、及び計時を開始したかどうかを判定するためのパラメータＳｔをゼロ、計時時間を算出するためのパラメータＮをゼロ、境界圧力値（図４のＬ３２で設定された値）をパラメータＰ１に代入記憶し、計時時間の測定が押圧によるものであれば境界圧力値Ｐ１未満の値としてＰ２を、吸引によるものであれば境界圧力値Ｐ１よりも大きい値としてＰ２を演算代入記憶する（ステップＳ２１０）。
【００４７】
次に、割り込み処理１において、Ｓ＿ｆｌａｇ＝１かどうかを判定する（図６、ステップＳ１１５）。Ｓ＿ｆｌａｇ＝１であれば図８の圧力保持時間を計時する処理フローチャートへ分岐し次の処理を行う。
【００４８】
まず、押圧か吸引のどちらの保持時間を計時するかを判定し（ステップＳ３０１）、押圧時の保持時間を計時する場合、時系列に検出される圧力値Ｐ（ｉ）と境界圧力値Ｐ１とを比較し（ステップＳ３０２）、Ｐ（ｉ）がＰ１よりも小さければ計時を開始するための判定パラメータＳｔを判定し（ステップＳ３０６）、Ｓｔ＝０つまり圧力保持時間の計時を開始してから以前の割り込み処理１でＰ（ｉ）が境界圧力値Ｐ１以上になっていなければ計時用パラメータＮはゼロのままであり、割り込み時間間隔２０ｍＳと計時用パラメータＮとを掛け合わせた数値を圧力保持時間として測定画面図３のＬ１２に表示する（ステップＳ３０５）。ここで、Ｐ（ｉ）が境界圧力値Ｐ１以上になるまではＮ＝０のままであり、以降の割り込み処理が発生しても圧力保持時間をゼロとして表示し続ける（図１３の０〜ｔ１０の間）。
【００４９】
引き続き割り込み処理１が発生し、Ｐ（ｉ）が境界圧力値Ｐ１以上になれば計時を開始するための判定パラメータＳｔ＝１とし（ステップＳ３０３）、計時用のパラメータＮをインクリメントする（ステップＳ３０４）。割り込み時間２０ｍＳと計時用パラメータＮとを掛け合わせた数値を圧力保持時間として測定画面図３のＬ１２に表示する（ステップＳ３０５）。以降割り込み処理１が発生しＰ（ｉ）＞Ｐ２を保持し続けているのであれば計時用パラメータＮをインクリメントし、保持時間の更新表示を行う（図１３のｔ１０〜ｔ１１の間）。
【００５０】
以降の割り込み処理においてＰ（ｉ）がＰ２よりも小さくなったかを判定する（ステップＳ３０７）。Ｐ（ｉ）＜Ｐ２であれば、Ｓ＿ｆｌａｇ＝０とし圧力保持時間の計時が終了したことを前記測定画面に表示し（ステップＳ３０８）、最終的な圧力保持時間が表示され（ステップＳ３０５）、図８の計時時間測定用のフローチャートを抜けることにより、再び圧力保持時間測定スイッチを押すまで、前記方法で求められた圧力保持時間を表示し続ける。
【００５１】
吸引における処理（ステップＳ３０９〜Ｓ３１５）においても、押圧における処理手順と同様な処理となるので詳細な説明は省略するが、図１４を例に挙げると、圧力がＰ１以下になってからＰ２以上になるｔ１２〜ｔ１３の範囲にて計時を行い前記同様に図３に示すような測定画面のＬ１２へ圧力保持時間として表示される。
【００５２】
次に舌によるバルーン２の押圧・非押圧または、吸引・非吸引を繰り返し行うリハビリテーションにおける反復回数の計数表示について図７、１５、１６を参照して説明する。図７のスイッチ操作による処理フローチャートにおいて、リセットスイッチを押したかどうかを判定し（ステップＳ２０３）、スイッチを押していれば、反復回数の計数パラメータＪをゼロセットし、測定画面の反復回数（図３のＬ１３）をゼロに表示し（ステップＳ２１１）、図７のスイッチ操作の処理フローチャートを抜け、割り込み処理１が発生するごとに、時系列に検出された圧力値が反復変位したかどうかを判定し、反復回数を計数及び表示する（ステップＳ１１６）。
【００５３】
図４に示す設定画面において押圧が選択されたものとし（Ｌ３０）、押圧時における反復の判定及び反復回数の計数方法について図１６を参照して説明する。Ｐ３及びＰ４は設定画面における前記押圧舌圧Ｌ２８に示す値から算出されるか、または各種パラメータの初期化（ステップＳ１０２）で算出された、上限圧力値及び下限圧力値であり、一例としてＰ３＝０．８×（押圧舌圧）、Ｐ４＝０．２×（押圧舌圧）として算出されるものとする。
【００５４】
前記時系列に検出される波形データＰ（ｉ）が下限圧力値Ｐ４から上限圧力値Ｐ３へ変位したとき前記反復回数を計数するためのパラメータＪをインクリメントし、図３の測定画面に反復回数Ｌ１３として表示する。図１６の例であると時間ｔ２０、ｔ２１、ｔ２２の時点においてパラメータＪのインクリメント及び反復回数としてＪを表示している。
【００５５】
吸引における反復回数の計数表示の処理においても上述した押圧における処理手順と同様な処理となるので詳細説明は省略するが、図４の吸引舌圧Ｌ２９からＰ３、Ｐ４を求め、図１７の例で示すと、ｔ２３、ｔ２４、ｔ２５においてパラメータＪのインクリメント及び反復回数としてＪを表示する。
【００５６】
次にリハビリテーションの動機付けとなる人体関連圧力測定器５に接続された人間の五感に作用する装置の駆動方法について図１５、図１６を参照して説明する。まず、前記バルーン２を舌で押圧・非押圧または吸引・非吸引を繰り返し行う前述したリハビリテーションにおいて、所定の時間内にテンポ良く行わせることを目的とした場合の被験者１への動機付けの方法について説明する。図１のオーディオビジュアル機器７は人体関連圧力測定器５の通信装置８０よりトリガー信号を受信する毎に、ｔｒ秒だけオーディオビジュアル機器７より音を発するものとする。前記トリガー信号が、前記反復計数Ｊをインクリメントする毎に前記通信装置８０より前記トリガー信号を発するようにし、図１５及び図１６に示すように、前記パラメータＪをインクリメントするタイミングｔ２０〜ｔ２５におて前記通信装置よりトリガー信号が発せられ、これに伴い前記オーディオビジュアル機器７はｔｒ秒間音を発する。
【００５７】
前記トリガー信号を発してからｔｒ秒以内で前記パラメータＪのインクリメントが新たに発生すれば、前記通信装置８０より再び前記トリガー信号が発せられ、前記オーディオビジュアル機器７より発せられる音は連続して聞こえ、前記ｔｒ秒以内で反復運動を繰り返し行っていることが被験者１に認識される。前記トリガー信号が前記ｔｒ秒よりも長い時間の後に発せられた場合は、前記オーディオビジュアル機器７より発せられる音は途切れて被験者に聞こえるため、被験者１は反復運動のスピードが遅いと認識できる。これにより、被験者１にリハビリテーションの目的とする反復運動をテンポ良く行っているかどうかを認識させることで、リハビリテーションの動機付けを行う。
【００５８】
また、図４の設定画面にリハビリテーションを行う反復回数を目標回数として設定し（Ｌ３３）、反復運動による前記パラメータＪのインクリメントに応じて前記目標回数に近づく毎に、反復回数に応じて変化するアニメーションを図３の測定画面に表示（ＡＮ）しても良いし、前記オーディービジュアル機器７より発する音の音程を変えるなどしても良い。また、被験者の手に持たせたバイブレーターを振動させたり光の点滅で知らせたりとリハビリテーションの進行具合に応じて人間の五感に作用する機器を制御することにより、強い動機付けを行うことができる。
【００５９】
次に圧力調整スイッチを押したとき、中空体となるバルーン２内部の圧力補正及び加圧調整する方法について図９を参照して説明する。図７において、圧力調整スイッチを押したかどうかを判定し（ステップＳ２０５）、圧力調整スイッチを押していれば、図９の処理フローチャートへ分岐する。
【００６０】
タイマー割り込みを禁止し（ステップＳ５００）、エアーポンプ１１を停止する（ステップＳ５０１）。ドライバー１４を制御して電磁弁１２からプローブ３に至るまでの連通された空間を大気圧開放し（ステップＳ５０２）、中空体内部を含めた連通された空間の圧力が大気圧に安定化するまで待ち（ステップＳ５０３）、内部圧力が安定化した時点での圧力値をゲージ圧補正値として、パラメーターＧへ記憶する（ステップＳ５０４）。
【００６１】
次に電磁弁１２をドライバー１４により制御し、大気圧に連通されたチューブ４５を遮断し、電磁弁１２からバルーン２に至る連通された空間を気密に保つ（ステップＳ５０５）。エアーポンプ１１をドライバー１３で駆動し（ステップＳ５０６）、前記電磁弁１２からバルーン２に至る連通された空間の加圧を開始する。図４の設定画面に表示された圧力調整値Ｌ２１に前記密閉された空間の圧力が達したかを検出し（ステップＳ５０７）、加圧調整値に達したと判定したとき、ドライバー１３を制御しエアーポンプ１１を停止する（ステップＳ５０８）。このときの圧力値をオフセット値Ｆとして記憶し（ステップＳ５０９）、圧力調整の終了を表示手段７０へ表示して知らせる（ステップＳ５１０）。割り込みを許可し（ステップＳ５１１）、加圧調整シーケンスを抜ける。
【００６２】
次に、設定画面で入力・選択表示された被験者情報から上述した前記波形データの演算処理により求まる最大値、最小値、前記波形データの圧力変化率、前記圧力保持時間、前記波動成分のピークやボトム点の数、及び前記反復回数計数値の測定演算値を、前記記憶装置に記憶された階層別の標準値または、個々の被験者と関連付けされて前記記憶手段に記憶された値と比較判定表示する方法について説明する。図６の割り込み処理１のステップＳ１１７において、前記測定演算値と前記設定画面に表示された各種値を比較し、標準値または被験者個々に設定された値よりも上回っていれば良と判定し、標準値または被験者個々に設定された値を所定の計数を乗じた値よりも下回っていれば不良と判定し、前記測定画面に上述した方法で測定された値とともに判定結果を表示する。
【００６３】
例えば、図４の設定画面に示すように被験者が男性、年齢が４５歳と入力及び選択していれば、男性で４０代データとなる標準値の押圧舌圧２５ｋＰａ（Ｌ２８）及び吸引舌圧−２０ｋＰａ（Ｌ２９）と前記パラメータＭＡＸ、ＭＩＮと比較判定し、ＭＡＸは押圧舌圧の標準値２５ｋＰａよりも大きいので「良」と表示し（Ｌ１０）、ＭＩＮは標準値の吸引舌圧−２０ｋＰａよりも大きいので「不良」と表示する（Ｌ１１）。その他の測定演算値についても同様に判定表示する。
【００６４】
次に、設定画面で設定された被験者情報や各種演算処理に伴う条件設定や各種パラメータと共に前記波形データを記憶保存及び読み出し表示する方法について図７を参照して説明する。データ記憶スイッチを押したかどうかを判定し（ステップＳ２１３）、データ記憶スイッチを押していれば、前記設定画面において表示された前記被験者情報及び前記被験者情報と関連付けて前記各種パラメータ、波形データを前記ＥＥＰＲＯＭ２６に記憶する（ステップＳ２１５）。
【００６５】
また、データ読み出しスイッチを押しているかどうかを判定し（ステップＳ２１４）、データ読み出しスイッチが押されていれば、表示手段７０に前記設定画面を表示する。そして、図４に示すように被験者情報として表示されたＬ２２はプルダウンメニューとなっており、既にＥＥＰＲＯＭ２６に記憶された被験者情報となるナンバーや名前の一覧が表示されるので、これを前記操作手段６０の選択スイッチによりナンバーや名前を選択することにより、これに関連付けされて記憶された各種パラメータや波形データがＥＥＰＲＯＭ２６より読み出し表示される。
【００６６】
本発明は以上の実施例に限られるものではなく、例えば検出された圧力値を通信装置８０により各種データ、パラメータ等としてパーソナルコンピュータへ伝送し、パーソナルコンピュータ上にて前述した各種演算表示、データの保存等を行っても良い。
【００６７】
また、人体の測定部位の違いによる形状や材質の異なる中空体を含むプローブ３の交換において、図４の設定画面上のＬ２０はプルダウンメニューとなっており、使用するプローブ名またはプローブ番号を選択スイッチにより選択することで、選択されたプローブ３に関連する設定画面を表示し、選択されたプローブ３に関連する各種パラメータ等を入力可能に表示するものである。
【００６８】
また、プローブ３にプローブ番号が書き込まれたメモリー等を内蔵させ、前記チューブ４に配線を施し、この配線は前記プローブ番号が書き込まれたメモリーと人体関連圧力測定器５とを通信装置を介して接続され、プローブの種類を自動認識させることも可能である。
【００６９】
また、被験者情報等を記憶する媒体を人体関連圧力測定器５より着脱可能なコンパクトフラッシュメモリーやハードディスク等とすることもできる。また、前記通信装置８０はインターネット等のネットワークと接続可能な通信装置とし、前記被験者情報や各種データ等をネットワークを通じてサーバに伝送し、サーバにて前記被験者情報等を一元的に管理及び診断するための遠隔医療にも応用可能である。また、被験者を自動認識するための指紋照合装置や被験者個々が持つＩＤカード等を読み込むための装置を前記人体関連圧力測定器５に備えることもできる。
【００７０】
また、中空体内部の加圧媒体は空気ではなく、液体としても良い。
【００７１】
以上によって、舌圧を簡便に測定・診断及びリハビリテーションをすることができる方法と装置を提供することができるが、本発明は舌圧測定に限られたものではなく、舌、舌下筋肉、唇、頬、手、足、肛門、人体内部などの可動部の人体関連圧力の測定を行う装置として使用することができる。
【００７２】
【発明の効果】
以上説明したように本発明の人体関連圧力測定装置は、大気圧の変動による測定誤差を除去するため測定前の人体関連測定装置のゲージ圧ゼロ点補正を自動で行うことができるため、測定に至るまでの準備時間を短縮し効率化を計ることができる。また、異なる被験者間での前記中空体からなるプローブの交換や、人体の測定部位の違いによる形状や材質の異なるプローブへの交換における測定前の前記中空体内部の圧力調整について、測定の再現性を高め、安価な圧力調整手段を用いて人体のみによる押圧した圧力を求めることができる。
【００７３】
更に、圧力測定のデータを波形データとして表示することが可能となり、また前記波形データに重畳する所定の振幅を持つ波動成分のピーク点の数を計数すると共にピークの位置を強調表示することができるため、舌圧測定については、嚥下反射や嚥下の特徴を解析する上で重要な指標が簡便な作業により判明することができる。
【００７４】
また、圧力の保持時間の測定や基準値との比較・判定を自動で行うことができるため、舌圧測定については口腔関連機能を診断する上で重要な指標となる舌圧保持時間の測定を簡便かつ正確に行うことができると共に、被験者情報から測定結果を自動で解析・診断することができる。
【００７５】
また、加圧された中空体の押圧と非押圧を繰り返し行うリハビリテーションにおいて、リハビリテーションの指標や動機付けを行うことができ、更に、音・光・振動・映像等の人間の五感に作用する装置を駆動制御して被験者にリハビリテーションの進行状態などを分かりやすく示すことができる。
【図面の簡単な説明】
【図１】本発明に係る人体関連圧力測定装置の実施例の構成を示す概略図である。
【図２】本発明に係る圧力測定器の実施例を示す概略図である。
【図３】表示手段に表示される測定画面の一例を示すものである。
【図４】表示手段に表示される設定画面の一例を示すものである。
【図５】階層記憶された舌圧標準値の一覧の一部を示す表でる。
【図６】人体関連圧力測定装置の主動作を説明する処理フローチャートである。
【図７】スイッチ操作による分岐について説明する処理フローチャートである。
【図８】圧力保持時間の計時及び表示を説明する処理フローチャートである。
【図９】加圧処理について説明する処理フローチャートである。
【図１０】波形データのピークを検出する動作について説明する処理フローチャートである。
【図１１】表示手段の波形表示部に表示されたデータの一例を示すもので、波形データの立ち上がり変化開始点及び立ち下がり変化開始点を説明するものである。
【図１２】表示手段の波形表示部に表示されたデータの一例を示すもので、抽出されたピーク点にマーカーを表示したものである。
【図１３】中空体の押圧による反復回数計算及び圧力保持時間算出の説明するものである。
【図１４】表示手段の波形表示部に表示されたデータの一例を示すもので、中空体の吸引による反復回数計算及び圧力保持時間算出の説明するものである。
【図１５】表示手段の波形表示部に表示されたデータの一例を示すもので、中空体の押圧・非押圧による反復回数の計数表示を説明するものである。
【図１６】表示手段の波形表示部に表示されたデータの一例を示すもので、中空体の吸引・非吸引による反復回数の計数表示を説明するものである。
【図１７】摂食・嚥下時の嚥下舌圧の変動による舌圧波形を示すデータで（Ｉ）はピークが一つの単峰型、（ＩＩ）はピークが２つの２峰型、（ＩＩＩ）はピークが３つ以上の型である。
【図１８】摂食・嚥下時の舌圧波形のピーク数による分類の割合を年齢別に表した円グラフである。
【符号の説明】
１    被験者
２    バルーン
３    プローブ
４    チューブ
５    舌圧測定器
６    通信ケーブル
７    オーディオビジュアル機器
１０  圧力調整手段
１１  エアーポンプ
１２  電磁弁
１３、１４  ドライバー
２０  マイクロコンピュータ
２１  中央演算処理装置
２２  ＲＯＭ
２３  ＲＡＭ
２４、２６  ＥＥＰＲＯＭ
２９  入出力装置
３０  圧力検出手段
３１  Ａ／Ｄコンバーター
３２  増幅器
３３  圧力センサー
５１  クロック
５２  カウンター
６０  操作手段
７０  表示手段
８０  通信装置
【図１】
2005013679.tif 000003
【図２】
2005013679.tif 000004
【図３】
2005013679.tif 000005
【図４】
2005013679.tif 000006
【図５】
2005013679.tif 000007
【図６】
2005013679.tif 000008
【図７】
2005013679.tif 000009
【図８】
2005013679.tif 000010
【図９】
2005013679.tif 000011
【図１０】
2005013679.tif 000012
【図１１】
2005013679.tif 000013
【図１２】
2005013679.tif 000014
【図１３】
2005013679.tif 000015
【図１４】
2005013679.tif 000016
【図１５】
2005013679.tif 000017
【図１６】
2005013679.tif 000018
【図１７】
2005013679.tif 000019
【図１８】
2005013679.tif 000020